(57)【要約】    【課題】必要に応じてヒンジ部材を前面パネル側に収容した状態で容易に固定でき、ヒンジ部材の不安定な揺動による損傷等を防止できると共に、従来のヒンジ部材を固定する作業の煩わしさを解消できるようにする。    【解決手段】  前面パネル３を筐体２に開閉、着脱自在に装着するスライドヒンジ１７はヒンジ部材５０を備え、このヒンジ部材５０を前面パネル３側に収容した状態で前面パネル３に固定するための固定手段５５を設ける。ヒンジ部材５０は前後一対の前連結リンク５３及び後連結リンク５４を介して前面パネル３側の取り付け部材５２に回動自在に連結され、固定手段５５は前面パネル３側に設けられた被係合部材４８と、ヒンジ部材５０側に設けられ且つ被係合部材４８に係脱自在に係合する係合部材７５とを備える。【選択図】  図７
2010207508.tif 000002
【特許請求の範囲】
【請求項１】
前面パネル（３）をスライドヒンジ（１７）により筐体（２）に開閉、着脱自在に装着するようにした遊技機において、前記スライドヒンジ（１７）の前記前面パネル（３）側に連結されたヒンジ部材（５０）を前記前面パネル（３）側に収容した状態で前記前面パネル（３）に固定するための固定手段（５５）を設けたことを特徴とする遊技機。
【請求項２】
前記ヒンジ部材（５０）は前後一対の前連結リンク（５３）及び後連結リンク（５４）を介して前記前面パネル（３）側の取り付け部材（５２）に回動自在に連結され、前記固定手段（５５）は前記前面パネル（３）側に設けられた被係合部材（４８）と、前記ヒンジ部材（５０）側に設けられ且つ前記被係合部材（４８）に係脱自在に係合する係合部材（７５）とを備えたことを特徴とする請求項１に記載の遊技機。
【請求項３】
前記係合部材（７５）は前記連結リンク（５３，５４）が前記取り付け部材（５２）側に倒れて前記ヒンジ部材（５０）の前部側が前記前面パネル（３）内に収まり且つ後部側が前記前面パネル（３）から後方に突出するときに前記被係合部材（４８）に係合可能であることを特徴とする請求項２に記載の遊技機。
【請求項４】
前記被係合部材（４８）は前記取り付け部材（５２）の内側から前記ヒンジ部材（５０）に沿って後方に一体に突出して設けられ、前記係合部材（７５）は前記ヒンジ部材（５０）を前記筐体（２）側の固定連結部材（４９）に係合した状態でロックするためのロック部材（５１）であることを特徴とする請求項３に記載の遊技機。
【請求項５】
前記前面パネル（３）の端部側を補強する補強部材（４２）に、前記取り付け部材（５２）が係合する開口部（４４）を有する取り付け板（４５）を設け、該取り付け板（４５）の内端側に前側へと屈曲する屈曲縁（４７）を設け、該屈曲縁（４７）から前記被係合部材（４８）の先端までの寸法が前記開口部（４４）の開口寸法内であることを特徴とする請求項２又は３に記載の遊技機。
【発明の詳細な説明】
【技術分野】
【０００１】
本発明は、スロットマシン、パチンコ機等の遊技機に関するものである。
【背景技術】
【０００２】
スロットマシンは、例えば筐体と、この筐体の前面に開閉、着脱自在に枢着された前面パネルとを備え、その筐体内に複数個の図柄表示リールを有する表示リールユニット、メダルホッパー、メダル払い出し手段等が設けられ、また前面パネルには表示リールユニットに対応する表示窓、操作パネル等が設けられている（特許文献１）。
【０００３】
前面パネルを筐体に開閉、着脱自在に枢着する光透過体には、従来からスライドヒンジが使用されている。そして、スライドヒンジは、通常、筐体の内側面に固定される固定係合部材と、この固定係合部材に係脱自在に係合して係合状態でロック部材によりロックされるヒンジ部材と、前面パネルの裏側に取り付けられる取り付け部材と、この取り付け部材とヒンジ部材とを連結する前連結リンク及び後連結リンクとを備えた構造となっている（特許文献２）。
【先行技術文献】
【特許文献】
【０００４】
【特許文献１】特開２００４−４１５６４号公報
【特許文献２】特開２００３−３１４１３１号公報
【発明の概要】
【発明が解決しようとする課題】
【０００５】
このようなスライドヒンジを使用すれば、筐体に対して前面パネルを容易に着脱できると共に、前面パネルを開放する際に、その枢支側が前内側へと移動しながら前面パネルが開放するため、筐体と前面パネルとの間に開閉用の隙間等を確保する必要がない等の利点がある。
【０００６】
しかし、このスライドヒンジは、前面パネルを筐体から分離した状態で梱包して搬送する場合に、ヒンジ部材が一対の連結リンクにより前面パネルの裏側に連結されているため、ヒンジ部材が連結リンクにより左右に不安定に揺動し、円滑に作業を進める上でヒンジ部材が邪魔になるばかりか、他のものと接触してヒンジ部材、連結リンク等が変形する等の惧れもある。
【０００７】
そこで、従来は前面パネルをパッキンケースに入れて梱包する際には、先ず輪ゴム等を使用してヒンジ部材を前面パネル側の適当箇所に固定し、その後にヒンジ部材をパッキンケースに入れる方法を採っているが、この輪ゴム等によるヒンジ部材の固定も煩雑であるという欠点がある。
【０００８】
本発明は、このような従来の問題点に鑑み、必要に応じてヒンジ部材を前面パネル側に収容した状態で容易に固定でき、ヒンジ部材の不安定な揺動による損傷等を防止できると共に、従来のヒンジ部材を固定する作業の煩わしさを解消できる遊技機を提供することを目的とする。
【課題を解決するための手段】
【０００９】
本発明は、前面パネル３をスライドヒンジ１７により筐体２に開閉、着脱自在に装着するようにした遊技機において、前記スライドヒンジ１７の前記前面パネル３側に連結されたヒンジ部材５０を前記前面パネル３側に収容した状態で前記前面パネル３に固定するための固定手段５５を設けたものである。
【発明の効果】
【００１０】
本発明によれば、必要に応じてヒンジ部材５０を前面パネル３側に容易に固定でき、ヒンジ部材５０の不安定な揺動による損傷等を防止できると共に、従来のヒンジ部材５０を固定する作業の煩わしさを解消することができる。
【図面の簡単な説明】
【００１１】
【図１】本発明の第１の実施形態を示すスロットマシンの斜視図である。
【図２】同筐体側の正面図である。
【図３】同前面パネルの背面図である。
【図４】同スライドヒンジ部分の内側の側面図である。
【図５】同スライドヒンジ部分の平面断面図である。
【図６】同スライドヒンジと取り付け板との分解斜視図である。
【図７】同スライドヒンジの要部の拡大平面図である。
【図８】同スライドヒンジ部分を分離した状態の平面断面図である。
【図９】同梱包状態の平面断面図である。
【図１０】本発明の第２の実施形態を示すスライドヒンジ部分の断面図である。
【図１１】本発明の第３の実施形態を示すスライドヒンジと取り付け板との分解斜視図である。
【図１２】同要部の断面図である。
【発明を実施するための形態】
【００１２】
以下、本発明の実施例を図面に基づいて詳述する。図１〜図９は本発明をスロットマシンに採用した第１の実施例を例示している。図１〜図３において、１は遊技機本体であり、筐体２と、この筐体２の前側に配置された矩形状の前面パネル３とを備えている。筐体２は前側が開放する箱形に形成されており、その前側を開閉自在に閉鎖するように前面パネル３が装着されている。
【００１３】
筐体２内には、図２に示すように、その上部に主制御基板ケース１１が、中間部に左右方向に複数個の図柄表示リール５ａ〜５ｃを有する表示リールユニット６が夫々配置されている。また筐体２内の下部にはメダル払い出し手段７と、メダルホッパー８と、メダル補助ケース９と、電源基板ケース１０とが夫々配置されている。表示リールユニット６は筐体２の中間棚１２上に着脱自在に装着されており、この表示リールユニット６の図柄表示リール５ａ〜５ｃが回転することにより、複数個の遊技図柄を変動表示可能である。
【００１４】
メダル払い出し手段７は払い出し口７ａを有し、この払い出し口７ａからメダルホッパー８内のメダルを払い出す。なお、払い出されたメダルは、前面パネル３の裏側の返却通路１３のメダル受け口１３ａから返却通路１３内に入り、前面のメダル排出口１４からメダル受け皿１５へと排出されるようになっている。メダル補助ケース９はメダルホッパー８から溢れたメダルを貯留するためのものである。
【００１５】
前面パネル３は骨格体を構成するパネル枠１６を備え、そのパネル枠１６が左右一端側で上下一対のスライドヒンジ１７を介して筐体２に開閉、着脱自在に装着されている。前面パネル３の上部側には、第１表示窓１９と第２表示窓２０とが上下に配置され、これらの左右両側に縦長状の演出ランプ２１が配置されている。また前面パネル３の上下方向の中間部には、上操作パネル２２と、前操作パネル２３と、装飾パネル２４を有する前カバー２５とが配置され、その前カバー２５の下部にメダル排出口１４とメダル受け皿１５と灰皿２６とスピーカ２７等が配置されている。
【００１６】
第１表示窓１９は筐体２側の図柄表示リール５ａ〜５ｃに対応して矩形状に形成されており、遊技者はこの第１表示窓１９を介して図柄表示リール５ａ〜５ｃを前側から視認可能となっている。第２表示窓２０は前面パネル３の裏側に装着された液晶表示ユニット２８に対応して矩形状に形成され、遊技者はこの第２表示窓２０を介して液晶表示ユニット２８に表示される遊技図柄等を前側から視認可能となっている。
【００１７】
上操作パネル２２は前下りに傾斜する横長状であり、この上操作パネル２２には、その左右方向の一端側に１ベットボタン２９とマックスベットボタン３０とキャンセルボタン３１とが設けられ、他端側に遊技媒体としてのメダルを投入可能なメダル投入口３２が設けられている。１ベットボタン２９、マックスベットボタン３０は、メダル投入口３２へのメダル投入に代えてクレジットからメダルをベットするためのものである。
【００１８】
前操作パネル２３には、図柄表示リール５ａ〜５ｃの回転を開始させるためのスタートレバー３４と、回転中の図柄表示リール５ａ〜５ｃを夫々個別に停止させるためのストップボタン３５ａ〜３５ｃと、メダル投入口３２内に詰まったメダルを返却させるための返却ボタン３６等が設けられている。
【００１９】
前面パネル３の裏側には、第２表示窓２０に対応する液晶表示ユニット２８と、液晶表示ユニット２８の演出画像を制御する基板ケース３８と、メダル投入口３２から投入されたメダルの正偽を選別するセレクター３９と、セレクター３９を通過した正規のメダルをメダルホッパー８へと案内するメダルシュート４０と、セレクター３９で除去された不正メダルをメダル排出口１４を経てメダル受け皿１５に返却する返却通路１３等が装着されている。
【００２０】
前面パネル３のスライドヒンジ１７の取り付け側は、図３に示すように板金製の補強部材４２により補強されている。この補強部材４２は断面Ｌ字状であって、パネル枠１６の外側縁に沿って上下方向に配置され、上下方向の複数箇所でパネル枠１６の裏面にネジ４３により固定されている。
【００２１】
補強部材４２には、図４〜図６に示すように、矩形状の開口部４４を有する取り付け板４５が内側へと突出して一体に設けられ、この取り付け板４５はパネル枠１６に成形された受け部４６に裏面から当接している。取り付け板４５の内端側には、開口部４４の内端縁から前側に屈曲する屈曲縁４７が上下方向に設けられ、この屈曲縁４７から後述の被係合部材４８の先端までの寸法が開口部４４の左右幅と略同一である等、開口部４４の左右方向の開口寸法内になっている。
【００２２】
スライドヒンジ１７は、図４〜図６に示すように、筐体２の内側面に固定された断面コ字状の固定連結部材４９と、この固定連結部材４９に係脱自在に係合する断面コ字状のヒンジ部材５０と、固定連結部材４９に係合した係合状態でヒンジ部材５０をロックするロック部材５１と、前面パネル３の裏側に取り付けられた取り付け部材５２と、この取り付け部材５２とヒンジ部材５０とを連結する前後一対の前連結リンク５３及び後連結リンク５４とを備えている。
【００２３】
そして、ヒンジ部材５０と関連して固定手段５５が設けられており、ヒンジ部材５０は固定連結部材４９から離脱したときには、必要に応じて前面パネル３側に収容した状態で固定手段５５により前面パネル３側に固定できるようになっている。
【００２４】
固定連結部材４９は、図７、図８に示すように、筐体２の側壁２ａに固定された断面コ字状の固定部材５７と、この固定部材５７に前後方向に位置調整可能に設けられ且つ固定部材５７に外嵌する断面コ字状の調整部材５８とを備え、その調整部材５８の前端側に係合突起５９が、後端側に係合具６０が夫々設けられ、その係合突起５９にヒンジ部材５０の係合凹部６１が前側から係脱自在に係合している。
【００２５】
係合具６０は断面コ字状であって、図７、図８に示すように、固定連結部材４９の後部側で調整部材５８内に支軸６２廻りに回動自在に枢支されると共に、バネ６３により係合方向に付勢されている。この係合具６０は、ヒンジ部材５０が係合突起５９を支点として固定連結部材４９側へと図７のａ矢示方向に回動したときに、係合部６０ａがヒンジ部材５０側の係合軸６４に対して係脱自在に係合し、また操作部６０ｂをバネ６３に抗して離脱方向に操作したときに係合部６０ａが係合軸６４から離脱するようになっている。
【００２６】
ロック部材５１は、図６〜図８に示すように、弾性線材等を略Ｕ字状に屈曲して構成され、開放端の軸部５１ａがヒンジ部材５０の前後方向の中間の支持孔５０ａに回動自在に挿支され、自由端側の係合部５１ｂがヒンジ部材５０の切り欠き部６６内で係合具６０の被係合部６０ｃに係脱自在に係合する。
【００２７】
なお、ロック部材５１はヒンジ部材５０から上下両側に突出する突部６７により、係合部５１ｂが被係合部６０ｃに係合するロック位置と、係合部５１ｂが被係合部材４８に係合する固定位置とに保持され、その弾性に抗して軸部５１ａ廻りに回動操作することにより各位置に姿勢変更可能である。
【００２８】
ヒンジ部材５０は調整部材５８に外嵌する断面コ字状であって、図６〜図８に示すように、前端部に前連結リンク５３、後連結リンク５４が縦軸６８，６９を介して枢着され、また前連結リンク５３、後連結リンク５４の他端は縦軸７０，７１を介して取り付け部材５２のブラケット部７２に枢着されている。従って、ヒンジ部材５０は４節リンクを介して取り付け部材５２に連結されている。
【００２９】
縦軸７０，７１間の間隔はヒンジ部材５０側の縦軸６８，６９間の間隔よりも小であり、前側の縦軸７０が左右方向の内側に、後側の縦軸７１が左右方向の外側に配置されている。なお、後連結リンク５４の縦軸６９，７１間の間隔は、前連結リンク５３の縦軸６８，７０間の間隔よりも若干大である。
【００３０】
取り付け部材５２は連結リンク５３，５４が縦軸７０，７１により連結される上下一対のブラケット部７２の他に、ブラケット部７２の内側に設けられた上下一対の取り付け部７３を有し、一部が取り付け部７３の開口部４４に裏側から係合した状態で取り付け板４５と共締めによりパネル枠１６側の受け部４６に固定されている。
【００３１】
取り付け板４５の内端側には、図６〜図８に示すように、開口部４４の内端縁から前側に屈曲する屈曲縁４７が上下方向に設けられ、この屈曲縁４７から被係合部材４８の先端までの寸法が開口部４４の左右幅と略同一である等、開口部４４の左右方向の開口寸法内になっている。
【００３２】
固定手段５５は、図６、図８に示すように、前面パネル３側に設けられた被係合部材４８と、ヒンジ部材５０側に設けられ且つ被係合部材４８に係脱自在に係合する係合部材７５とを備えている。係合部材７５にはヒンジ部材５０を筐体２側の固定連結部材４９に係合状態でロックするためのロック部材５１が利用されており、前連結リンク５３が取り付け部材５２に当接する等により取り付け部材５２に沿って略左右方向に倒れた状態で収容され、ヒンジ部材５０の前部側が前面パネル３内に収まり且つ後部側が前面パネル３から後方に突出するときに、その係合部５１ｂが被係合部材４８の後端側の被係合部４８ａに係脱自在に係合するようになっている。
【００３３】
被係合部材４８は収容状態のヒンジ部材５０の内側近傍に配置され、このヒンジ部材５０に沿って取り付け部材５２から後方に一体に突出しており、この被係合部材４８の後端に内側へと屈曲する被係合部４８ａが設けられている。
【００３４】
上記構成の遊技機では、図９に示すように前面パネル３を筐体２から分離した状態でパッキンケース等の梱包容器Ｐに入れて搬送する場合には、例えば図８に分離状態を示すように、ヒンジ部材５０を固定連結部材４９から分離した状態において、その各連結リンク５３，５４を左右方向に倒して折り畳んで前面パネル３の裏側に収容する。このときヒンジ部材５０の後部側が前面パネル３から裏側に突出するが、その突出量は前面パネル３の裏側に装着された基板ケース１１その他の裏側部材５６の突出量と略同じ程度となる。
【００３５】
この収容状態ではヒンジ部材５０は図８に示すように被係合部材４８の近傍で被係合部材４８に沿って後方に突出した状態となるので、次にロック部材５１の係合部５１ｂを被係合部材４８の被係合部４８ａに係合する。
【００３６】
これによってヒンジ部材５０を前面パネル３側に固定できる。従って、その後に前面パネル３をパッキンケース等の梱包容器Ｐに入れて梱包する際にも、４節リンクを構成する連結リンク５３，５４を介して前面パネル３の裏側に連結されたヒンジ部材５０が不安定に揺れ動くことがなく、ヒンジ部材５０の損傷を防止できると共に、梱包等の作業を容易に行うことができる。
【００３７】
また取り付け板４５から後方に突出する被係合部材４８の後端の被係合部４８ａに対してロック部材５１が係脱自在に係合する構成であるため、ヒンジ部材５０が本来備えるロック部材５１を係合部材７５として利用でき構造的にも簡単にできる。更にロック部材５１を被係合部材４８の被係合部４８ａに対して係脱すればよいので、ヒンジ部材５０を固定し解除するときの操作も非常に容易である。
【００３８】
前面パネル３の端部側を補強する補強部材４２に、スライドヒンジ１７の取り付け部材５２が嵌合する開口部４４を有する取り付け板４５を設け、この取り付け板４５の内端側に前側へと屈曲する屈曲縁４７を設けると共に、屈曲縁４７から後方に突出する被係合部材４８を設け、この被係合部材４８の先端までの寸法を開口部４４の開口寸法内としているので、板金材の打ち抜き、折り曲げ等の加工により、被係合部材４８を有する取り付け板４５を補強部材４２に一体に容易に設けることができる。
【００３９】
前面パネル３を筐体２に結合する場合には、ロック部材５１によるヒンジ部材５０の固定を解除した後、ヒンジ部材５０の係合凹部６１を固定連結部材４９の係合突起５９に係合した後、係合凹部６１、係合突起５９の係合部分を支点としてヒンジ部材５０を固定連結部材４９側に図７のａ矢示方向に回動させると、係合軸６４部が係合具６０に係合する。これによってヒンジ部材５０を固定連結部材４９に連結できるので、次にロック部材５１を係合具６０に掛けてヒンジ部材５０をロックすればよい。
【００４０】
前面パネル３を筐体２から取り外す場合には、ロック部材５１によるヒンジ部材５０のナックを解除し、次に操作部６０ｂを操作して係合具６０を支軸６２廻りに図７のｂ矢示方向に回動させて係合軸６４部から外す。その状態でヒンジ部材５０の係合凹部６１を係合突部５９から外して、ヒンジ部材５０を固定連結部材４９から分離すればよい。
【００４１】
図１０は本発明の第２の実施形態を例示する。図１０（Ａ）では、取り付け板４５の屈曲縁４７から裏側に突出する被係合部材４８が設けられ、この被係合部材４８にヒンジ部材５０側に突出する被係合部４８ａが設けられている。ヒンジ部材５０にはその後端側に被係合部材４８側に突出する係合部材７５が設けられている。
【００４２】
図１０（Ｂ）では、被係合部材４８にはヒンジ部材５０側に突出する被係合部４８ａが設けられ、ヒンジ部材５０にはその被係合部４８ａと反対側に凹入する係合部材７５が設けられている。
【００４３】
図１０（Ｃ）では、被係合部材４８には後端に被係合部４８ａが設けられ、ヒンジ部材５０の前端にはその被係合部４８ａに係脱自在に係合する係合部材７５が設けられている。図１０（Ｄ）では、取り付け板４５の開口部４４の内端縁に被係合部４８ａが設けられ、ヒンジ部材５０の前端にはその被係合部４８ａに係脱自在に係合する係合部材７５が前方に突出して設けられている。この場合には、被係合部４８ａは後方には突出していない。
【００４４】
これらの固定手段５５の場合には、ヒンジ部材５０を収容状態にすると、その係合部材７５が取り付け板４５側の被係合部材４８の被係合部４８ａに係合してヒンジ部材５０を固定する。従って、ロック部材５１を操作するような特別な操作は不要である。
【００４５】
またヒンジ部材５０の前端側が被係合部材４８に係合するため、被係合部材４８の突出量を短くすることができる。なお、これらの場合は、筐体２に装着した後に前面パネル３を閉じたときに、係合部材７５が被係合部材４８に係合するが、被係合部材４８側に適度な左右方向の弾性を持たせることにより、前面パネル３の開閉に支障を来すようなこともない。
【００４６】
固定手段５５は、このようにヒンジ部材５０の後端部に一体に設けられた係合部材７５と、取り付け板４５側に一体に設けられた被係合部材４８とにより構成してもよい。なお、図１０（Ａ）の突状の係合部材７５、図１０（Ｂ）の被係合部材４８の突状の被係合部４８ａは、リベット等により別体構造で設けてもよい。
【００４７】
図１１、図１２は本発明の第３の実施形態を例示する。この実施形態では、屈曲縁４７から後方に突出する突出部材７７に上下一対の挟持部７８が設けられ、ヒンジ部材５０を収容状態にしたときに両挟持部７８でヒンジ部材５０の側壁５０ｂを上下両側から挟持して固定するようになっている。
【００４８】
このように固定手段５５は、ヒンジ部材５０自体を一対の挟持部７８で上下両側から挟持するようにしてもよい。なお、ヒンジ部材５０又は挟持部７８の何れか一方に突部７９を設けてもよい。
【００４９】
以上、本発明の実施形態について詳述したが、本発明はこの実施形態に限定されるものではなく、本発明の趣旨を逸脱しない範囲で種々の変更が可能である。例えば、実施形態では、前面パネル３をスライドヒンジ１７を介して筐体２に装着したスロットマシンについて例示しているが、スロットマシン以外のパチンコ機その他の弾球遊技機においても同様に実施可能である。
【００５０】
またスライドヒンジ１７は固定連結部材４９とヒンジ部材５０と連結リンク５３，５４と取り付け部材５２とを備えたものが一般的であるが、一対の連結リンク５３，５４により前面パネル３に連結されたヒンジ部材５０が、固定連結部材４９に対して係脱する形式のものであれば、他の構造のものでも同様に実施可能である。
【００５１】
またスライドヒンジ１７の取り付け部材５２は補強部材４２に一体の取り付け板４５に固定するようにしているが、取り付け部材５２を取り付け板４５を介さずにパネル枠１６等にネジ等で固定する場合には、固定手段５５の被係合部材４８、突出部材７７は、取り付け部材５２と一緒に、又は取り付け部材５２とは別に前面パネル３側に固定してもよい。
【００５２】
ヒンジ部材５０を前面パネル３側に固定するための固定手段５５は、ヒンジ部材５０にロック部材５１がある場合には、第１の実施形態、第２の実施形態に例示するように取り付け板４５側の被係合部材４８に係合させて固定したり、取り付け板４５側の一対の挟持部７８でヒンジ部材５０を挟持して固定する他、取り付け板４５側に係止手段を設け、この係止手段が収容状態のヒンジ部材５０に引っ掛けて固定するようにしてもよい。要するに固定手段５５は、ヒンジ部材５０を収容状態で固定できれば十分であり、その構造は別段問題ではない。
【符号の説明】
【００５３】
２  筐体
３  前面パネル
１７  スライドヒンジ
４２  補強部材
４４  開口部
４５  取り付け板
４７  屈曲縁
４８  被係合部材
４９  固定連結部材
５０  ヒンジ部材
５１  ロック部材
５２  取り付け部材
５３  前連結リンク
５４  後連結リンク
５５  固定手段
７５  係合部材
【図１】
2010207508.tif 000003
【図２】
2010207508.tif 000004
【図３】
2010207508.tif 000005
【図４】
2010207508.tif 000006
【図５】
2010207508.tif 000007
【図６】
2010207508.tif 000008
【図７】
2010207508.tif 000009
【図８】
2010207508.tif 000010
【図９】
2010207508.tif 000011
【図１０】
2010207508.tif 000012
【図１１】
2010207508.tif 000013
【図１２】
2010207508.tif 000014